(57)【要約】【課題】従来パネル型の表示装置は、独立した電源系統を有する表示部と制御部に分かれており、地上波放送のデータ放送、ＢＳ放送のデータ放送を待機電源モード時に抜き取る際に、効率的な電源制御を行えないという課題があった。【解決手段】チューナ部２０、パネル表示部４０に共通するスイッチ手段１１、さらに個々にスタンバイ電源手段２１、４１とサブ制御手段２２、４２と、制御手段２４，４４とを有すると供に、個別機能対応電源を有し、地上波放送またはＢＳ放送に重畳して付随するデータ放送の抜き取り手段を有し、スタンバイ時、データ抜き取り時、およびＡＶ信号表示時に最適な電源制御する【選択図】　図２
2004048151.tif 000002
【特許請求の範囲】
【請求項１】
信号処理部と前記信号処理部からの信号を表示する表示部とから構成される表示装置であって、さらに地上波放送に重畳して付随するデータ放送を抜き取る地上波放送用抜き取り手段、または衛星放送に重畳して付随するデータ放送を抜き取る衛星放送用抜き取り手段、または前記地上波放送用抜き取り手段と前記衛星放送用抜き取り手段を同時に有し、スタンバイ時、データ抜き取り時、およびＡＶ信号表示時に最適な電源制御することを特徴とする表示装置。
【発明の詳細な説明】
【０００１】
【発明の属する技術分野】
本発明は、表示用のＡＶ信号を制御する信号処理部（例えば、広義のチューナ部）と、この信号処理部で信号処理されたＡＶ信号を表示する、例えばプラズマディスプレイパネル（ＰＤＰ）、液晶表示パネル（ＬＣＤ）、エレクトロルミネッセンスディスプレイ（ＥＬ）等のパネル型の表示部とからなり、表示部と信号処理部とを一体にしたパネル型表示装置に関するものである。
【０００２】
【従来の技術】
従来は、ＰＤＰを表示部としたテレビジョン受像機のような大画面、薄型のパネル型のディスプレイは、その薄さを前面に出して商品訴求を行うため、表示部にＡＶ信号入力切替部あるいは広義のチューナ部を内蔵することなく、ＡＶ信号入力切替部と表示部とを別々の筐体とした製品構成をとる場合が多い。例えば、特開平９−２４４５７１号公報にはパネル型ディスプレイの異常表示機能について記載されており、ＰＤＰやＬＣＤ等を使用するパネル型ディスプレイではその薄型のパネルの特長を生かすため表示部とその表示部に表示映像信号等を供給する制御部を分離して構成し、さらにこれらの間のケーブルを少なくする等のために各々の駆動する電源もそれぞれ独立に設けることが多い。
【０００３】
しかし、このような構成では、表示部で起こった異常を制御部で把握できないため、異常時に迅速な対応ができず、修理等の際の情報も得にくいと言う問題があるという課題に対し、表示部と制御部が分かれているパネル型ディスプレイにおいて、制御部から表示部の異常を容易にかつ的確に把握する技術について開示がなされている。
【０００４】
また、特開平９−２４４５７１号公報では、表示部と制御部（例えば、映像信号処理部）が２体に分離されているような形態を有するパネル型ディスプレイでは、上述した課題にある様に表示部と制御部の２体もので有るがゆえに、制御部側で一意的に表示部側の異常管理を行おうとしている。
【０００５】
また、従来のパネル型ディスプレイは、非常に高価であり業務用として使われることが多く、表示部の薄さの訴求が最重点項目であったために２体型で構成されている。図３は従来の２体型のパネル型ディスプレイの構成例を示す。この図面では、ＰＤＰ（プラズマディスプレイパネル）からなる表示部１とチューナ部２から構成されるとともに、リモコン３でこれらを制御するような形態を取っており、また電源についても、表示部１とチューナ部２はそれぞれ個別の電源（ＡＣ）に接続されている
【０００６】
【発明が解決しようとする課題】
ところでＤＶＤ（デジタル・バーサタイル・ディスク）のソフトまたはハード機器の充実またはＢＳデジタル放送の開始による高画質デジタルハイビジョン放送をより大画面・高画質のディスプレイで視聴したいとの要望が徐々に高まり、パネル型ディスプレイは、業務用のみならず一般家庭における人気・需要も高まり、そのために制御部（例えば、広義のチューナ部（単体の電子部品としてのチューナではなく））と表示部とを一体型にし、パネル型ディスプレイの構成をコンパクトにしたいという要望がある。
【０００７】
しかし、前述の様に従来の技術では、パネル型ディスプレイでは、制御部と表示部とがそれぞれ独立しており、一般家庭にパネルディスプレイ型テレビとして導入していくにはその商品形態からおのずと限界があるといわざるを得ない課題があった。
【０００８】
さらに、この構成で地上波放送のＥＰＧ（電子番組ガイド）受信機能、ＢＳデジタル放送の受信機能を有する制御部（広義のチューナ部）と表示部を一体化するには、電源制御機能がさらに複雑になると言う課題があった。
【０００９】
本願発明は、これらの課題を解決した表示装置を提供することを目的とするものである。
【００１０】
【課題を解決するための手段】
本願発明の表示装置では、独立した電源系統を有するＡＶ（オーディオ・ビデオ）信号処理部、独立した電源系統を有するパネル型ディスプレイからなる表示部を備え、さらに地上波放送に重畳して付随するデータ放送の抜き取り手段、または衛星放送に重畳して付随するデータ放送の抜き取り手段、またはこれらのデータ抜き取り手段の両方を有するものである。
【００１１】
さらにはこの構成に加えて、地上波放送あるいは衛星放送の非表示裏録画手段を有するものである。
【００１２】
【発明の実施の形態】
図１に本願発明における制御部（例えば、チューナ）と表示部とを一体化にしたパネル型ディスプレイの一例である、一体型パネルテレビの構成の一実施例を示す。１０は一体型パネルテレビ、２０はチューナ部、４０はパネル表示部である。これらは、リモコン３によって制御される。以下、図２を用いて本願発明の表示装置の一実施例について説明する。
【００１３】
図２において１０は既に図１で説明した一体型パネルテレビ、２０はチューナ部、４０はパネル表示部であり、それぞれ説明のため、それぞれの構成を枠により囲んでいる。
【００１４】
１１は各スタンバイ電源に関するスイッチであるＳＷ部、１２はリモートコントローラ（以下、リモコンと記す）からの赤外光線を受光するインターフェース手段であるＩＲ受光部、２１はチューナ部２０側のスタンバイ電源、２２はスタンバイ電源２１から電源供給され動作するスタンバイ制御部であるサブ制御部、２３はチューナ部２０の主電源となる電源部、２４は信号処理を行う各部を制御するための制御部、２５は制御部２４から制御される電源、２６は制御部２４から制御される電源、２７は地上波用チューナ、２８は地上波用チューナからデータを抜き取るための抜き取り部、２９はＡＶ入出力端子、３０はＢＳチューナ、３１は地上波用チューナ２７、ＡＶ入出力端子２９またはＢＳチューナ３０からの各ＡＶ信号を切り替えるためのＡＶスイッチであるＡＶＳＷ、３２はＡＶＳＷ３１からの映像信号を処理するための映像処理部である。
【００１５】
次に４１はパネル表示部４０側のスタンバイ電源、４２はスタンバイ電源４１から電源供給され動作するスタンバイ制御部であるサブ制御部、４３はパネル表示部４０の主電源となる電源部、４４は信号処理を行う各部を制御するための制御部、４５は映像処理部３２からの映像信号をパネル部４６に表示するために最適なフォーマット変換を行うための映像フォーマット変換部、４６は実際に表示を行うパネル部、４７はＡＶＳＷ３１からの音声信号を音質制御またはその他の音声処理を行い増幅し増幅した音声信号としてＳＰ（スピーカー、図示せず）に供給するための音声処理増幅部、４８はパネル部４６に応じた駆動を行うためのドライバ部、５０は映像フォーマット変換部４５、パネル部４６、音声処理増幅部４７およびドライバ部４８からなる電源供給単位をまとめたパネル制御部である。
【００１６】
（実施の形態１）
本実施の形態例では、図２から電源２５とＢＳチューナ３０を外した状態の表示装置について考える。
【００１７】
図２で示した様にＳＷ部１１がオンにされると、（例えばＳＷ部１１によりスタンバイ電源部２１およびスタンバイ電源部４１の電源回路部がグランドに落とされることで実現する）、スタンバイ電源部２１とスタンバイ電源部４１の電源が立ち上がる。このことにより、サブ制御部２２とサブ制御部４２が立ち上がる。
【００１８】
ＳＷ部１１から電源が立ち上がった場合は、あるいはあらかじめスタンバイ電源部２１およびスタンバイ電源部４１が立ち上がっている場合でリモコンなどの電源キーが押下されてＩＲ受光部１２で検出され、サブ制御部２２あるいはサブ制御部４２で認識された場合でスタンバイのオフ状態からオン状態が要求された場合は、サブ制御部２２は電源部２３に内在するリレーをオンに立ち上げる。同様にサブ制御部４２は、電源部４３に内在するリレーをオンに立ち上げる。
【００１９】
この際、電源部２３、電源部４３のそれぞれは、スタンバイ電源部２１あるいはスタンバイ電源部４１に比べ負荷容量が大きいため、電源の立ち上がりに差異が生じる。よって、制御部２４および制御部４４の立ち上がりが異なる。また制御部２４および制御部４４の個々の内部処理時間差も異なる。このため制御部２４および制御部４４は、立ち上がり時互いに通信を行うことでその処理の同期を取る。
【００２０】
また回路の経年変化等による立ち上がり時間の変動等も考慮し、常にチューナ部２０と表示パネル部４０の過渡的な電源立ち上がりを判断し、一体物としての動作の同期を取る必要がある。このため、制御部２５と制御部４５は、互いに通信を行うことで状態を判別する必要がある。
【００２１】
制御部２４は、地上波用チューナ２７対しては選局処理を行う。選局処理により、放送信号に重畳して送られるデータの放送を選び、抜取部２８より必要なデータを抜き取る。さらに制御部２４は抜き取ったデータを処理し、内在するＯＳＤ（オンスクリーンディスプレイ）機能を用いて、必要に応じて映像処理部３２に送出する。
【００２２】
また制御部２４は、ＡＶ入出力端子２９に対しては「接続有り無しの端子接続状況」あるいは「接続信号のアスペクト情報」を検出する。
【００２３】
ＡＶＳＷ３１は地上波用チューナ２７あるいはＡＶ入出力端子２９を介して送られる各ＡＶ信号を切り替えるために用いられ、その切り替え制御は制御部２４よって行われる。ＡＶＳＷ３１で切り替えられたＡＶ信号は、映像信号は映像処理部３２で画質、同期、アスペクト、カラーマトリックス等の処理をされ、映像フォーマット変換部４５に送出され、音声信号はライン信号として音声処理増幅部４７に送出される。
【００２４】
次に本実施の形態の表示装置における電源の状態について説明する。「電源オフ時」の状態とは、ＳＷ部１１がオフ状態、つまり図２では接地されていない場合である。また「電源スタンバイ時」の状態とは、ＳＷ部１１がオン状態、つまり図２では接地されている状態である。またスタンバイ電源２１とスタンバイ電源４１が動作状態であり、サブ制御部２２とサブ制御部４２がそれぞれ通電状態である。しかし、それ以外の電源はオフの状態である。
【００２５】
「電源全入り時」とは、スタンバイ状態からＳＷ部１１が再度切り入り制御された場合か、またはＩＲ受光部１２に電源オンコードが入力された場合である。この場合は、サブ制御部２２とサブ制御部４２が各々電源部２３および電源部４３を立ち上げる。電源部２３と電源部４３が立ち上がることで、制御部２４と制御部４４が動作を開始する。同時に、地上波用チューナ２７、ＡＶ入出力端子部２９が立ち上がり、パネル制御部５０も立ち上がる。
【００２６】
制御部２４と制御部４４間の通信確認により正常状態で一体型パネルテレビ１０が立ち上がると、制御部２４はさらに電源部２６に内在するリレーあるいはスイッチをオンする事で電源部２６を立ち上げる。このことにより、ＡＶＳＷ３１、映像処理部３２も立ち上がる。
【００２７】
「電源待機時（地上放送データ抜き取り時）」の場合とは、一体型パネルテレビ１０がＡＶ信号の表示・提示を行わない時でかつ抜取部２８よりデータを取り込む場合である。この状態にするためには、あらかじめリモコン等を用いＩＲ受光部１２経由で電子番組ガイド（ＥＰＧ）の取り込み設定あるいは、データ放送（文字放送等も含む）のデータを溜め込み設定を行う。あるいはデフォルト設定でＥＰＧを有効にする等である。
【００２８】
テレビ放送あるいは各ＡＶ入出力端子２９に接続されたＡＶ機器からのＡＶ信号を利用しない場合で地上波放送からデータを抜き取るときは、例えばリモコンによりＩＲ受光部１２経由で電源がオフされた場合、サブ制御部４２がオフコードを判別し、制御部４４にオフ情報を流す。制御部４４が終了処理を行い完了情報をサブ制御部４２に返すと、サブ制御部４２は電源部４３に内在するリレーをオフすることで電源部４３は切断される。一方、制御部２４も同様にサブ制御部２２からオフコードを受けるが、データ抜き取り設定がされており、制御部２４は電源部２６に対して内在するリレーあるいはスイッチをオフするように制御する。
【００２９】
以上により、電源待機時では、地上波用チューナ２７からの抜き取りに必要な回路機能のみに通電されることになる。なお、図２では、ＡＶ入出力端子２９に電源部２４から供給するようにしているが、電源部２６からの通電としても良い。
（実施の形態２）
本実施の形態の表示装置の構成は、図２から地上波用チューナ２７と抜取部２８を外した状態で考える。また（実施の形態１）で既に説明した内容については省略する。以下に図２を用いて本実施の形態の表示装置について説明する。
【００３０】
図２で示した様にＳＷ部１１がオンにされると（例えばＳＷ部１１によりスタンバイ電源部２１およびスタンバイ電源部４１の電源回路部がグランドに落とされることで実現する。）、スタンバイ電源部２１とスタンバイ電源部４１の電源が立ち上がる。このことにより、サブ制御部２２とサブ制御部４２が立ち上がる。ＳＷ部１１から電源が立ち上がった場合は、あるいはあらかじめ、スタンバイ電源部２１およびスタンバイ電源部４１が立ち上がっている場合でリモコンなどの電源キーが押下されＩＲ受光部１２で検出されサブ制御部２２あるいはサブ制御部４２で認識された場合でスタンバイのオフ状態からオン状態が要求された場合、サブ制御部２２は、電源部２３に内在するリレーをオンに立ち上げる。同様にサブ制御部４２は、電源部４３に内在するリレーをオンに立ち上げる。
【００３１】
この際、電源部２２、電源部４２は、スタンバイ電源部２１あるいは、スタンバイ電源部４１に比べ負荷容量が大きいため、電源の立ち上がりに差異が生じる。
よって、制御部２４および制御部４４の立ち上がりも異なる。また制御部２４および制御部４４の個々の内部処理時間差も異なる。このため制御部２４および制御部４４は、立ち上がり時互いに通信を行うことでその処理の同期を取る。
【００３２】
回路の経年変化に等による立ち上がり時間の変動等も考慮し、常にチューナ部２０と表示パネル部４０の過渡的な電源立ち上がりを判断し、一体物としての動作の同期を取る必要がある。このため、制御部２５と制御部４５は、互いに通信を行うことで状態を判別する必要がある。
【００３３】
ここまでは、実施の形態１と同じである。
【００３４】
次に制御部２４は、ＢＳチューナ３０に対して、選局処理を行う。選局処理により、放送信号に重畳して送られるデータの放送を選び、ＢＳチューナ３０内部により必要なデータを抜き取る。制御部２４経由のリモコンコード内容に応じてＢＳチューナ３０は、抜き取ったデータを処理し、内在するＯＳＤ（オンスクリーンディスプレイ）機能を用いて、必要に応じてＡＶ信号内の映像信号に重畳し、ＡＶＳＷ３１を介して映像処理部３２に送出する。
【００３５】
次に電源の状態について説明する。「電源オフ時」の状態はＳＷ部１１がオフ状態、図２では接地されていない場合である。「電源スタンバイ時」の状態とはＳＷ部１１がオン状態、図２では接地されている状態である。さらにスタンバイ電源２１とスタンバイ電源４１が動作状態であり、サブ制御部２２とサブ制御部４２が通電状態である。しかし、それ以外の電源はオフの状態である。
【００３６】
「電源全入り時」状態とは、スタンバイ状態からＳＷ部１１が再度切り入りされた場合か、ＩＲ受光部１２に電源オンコードが入力された場合である。この場合は、サブ制御部２２とサブ制御部４２が各々電源部２３および電源部４３を立ち上げる。電源部２３と電源部４３が立ち上がることで、制御部２４と制御部４４が動作を開始する。同時に、ＡＶ入出力端子部２９が立ち上がり、パネル制御部５０も立ち上がる。　制御部２４と制御部４４間の通信確認により正常状態で、一体型パネルテレビ１０が立ち上がると、制御部２３は、電源部２５に内在するリレーあるいは、スイッチをオンする事で、ＢＳチューナ３０を立ち上げる。
【００３７】
さらに電源部２６に内在するリレーあるいはスイッチをオンする事で電源部２６を立ち上げる。このことにより、ＡＶＳＷ３１、映像処理部３２も立ち上がる。
【００３８】
「電源待機時（ＢＳ放送データ抜き取り時間待ち時）」の状態とは、一体型パネルテレビ１０がＡＶ信号の表示・提示を行わない状態でかつ抜取部２８よりデータを取り込む場合である。この状態にするためには、あらかじめリモコン等を用いＩＲ受光部１２経由で電子番組ガイドの取り込み設定あるいは、データ放送（文字放送等も含む）のデータ溜め込み設定を行う。あるいはデフォルト設定でＥＰＧを有効にする。
【００３９】
テレビ放送あるいは各ＡＶ入出力端子２９に接続されたＡＶ機器からのＡＶ信号を利用しない場合でＢＳ放送からデータを抜き取る場合、例えば、リモコンによりＩＲ受光部１２経由で電源がオフされた場合、サブ制御部４２がオフコードを判別し、制御部４４にオフ情報を流す。制御部４４が終了処理を行い、完了情報をサブ制御部４２に返すとサブ制御部４２は電源部４３に内在するリレーをオフすることで電源部４３は、切断される。一方、制御部２４も同様に、サブ制御部２２からオフコードを受けるが、データ抜き取り設定が、されており、制御部２４は電源部２６に対して内在するリレーあるいはスイッチをオフするように制御する。
【００４０】
さらに制御部２４は、ＢＳチューナ３０に対し待機モードである情報を渡す。
【００４１】
ＢＳチューナ３０は、データ取り込みに必要な時間情報を制御部２４に返す。
【００４２】
制御部２４は、その時間情報の管理をスタートさせると、電源部２５に内在するリレーあるいはスイッチをオフにし電源部２５を遮断する。
【００４３】
以上により、電源待機時では、必要最小限の機能だけが通電されている。
【００４４】
「電源待機取り込み時（ＢＳ放送データ抜き取り時）」の状態では、制御部２４は時間管理を行っており、ＢＳ放送からの抜き取り時間が来ると、制御部２４は、電源部２５に内在するリレーあるいはスイッチをオンにし、電源部２５を立ち上げる。このことによりＢＳチューナ３０が立ち上がり、ＢＳ放送に重畳されるデータの抜き取りを行う。よって、この場合、ＢＳ放送からの抜き取りに必要な回路機能のみに通電されることになる。
【００４５】
抜き取り時間が完了すると、ＢＳチューナ３０は、制御部２４にその内容を送信し、制御部２４は、電源部２５に内在するリレーあるいはスイッチをオフすることで前述の電源待機時の設定状態になる。
【００４６】
なお、図２では、ＡＶ入出力端子２９に電源部２４から供給するようにしているが、電源部２６からの通電としても良い。
【００４７】
（実施の形態３）
本実施の形態例は、上述した（実施の形態１）または（実施の形態２）の構成を同時に備え、高度にまとめたものであり、その電源設定状態について以下に述べる。
【００４８】
「電源オフ時」の状態とは、ＳＷ部１１がオフ状態、図２では接地されていない場合である。また「電源スタンバイ時」とは、ＳＷ部１１がオン状態、図２では接地されている状態である。さらにスタンバイ電源２１とスタンバイ電源４１が動作状態であり、サブ制御部２２とサブ制御部４２が通電状態である。しかし、それ以外の電源はオフの状態である。
【００４９】
「電源全入り時」状態とは、スタンバイ状態からＳＷ部１１が再度切り入りされた場合か、ＩＲ受光部１２に電源オンコードが入力された場合である。この場合は、サブ制御部２２とサブ制御部４２が各々電源部２３および電源部４３を立ち上げる。電源部２３と電源部４３が立ち上がることで、制御部２４と制御部４４が動作を開始する。同時に、地上波用チューナ２７、抜取部２８およびＡＶ入出力端子部２９が立ち上がり、パネル制御部５０も立ち上がる。　制御部２４と制御部４４間の通信確認により正常状態で、一体型パネルテレビ１０が立ち上がると、制御部２３は、電源部２５に内在するリレーあるいは、スイッチをオンする事で、ＢＳチューナ３０を立ち上げる。さらに電源部２６に内在するリレーあるいはスイッチをオンする事で電源部２６を立ち上げる。このことにより、ＡＶＳＷ３１、映像処理部３２も立ち上がる。
【００５０】
「電源待機時（地上放送データ抜き取り時）」とは、一体型パネルテレビ１０がＡＶ信号の表示・提示を行わない時でかつ抜取部２８よりデータを取り込む場合である。この状態にするためには、あらかじめリモコン等を用いＩＲ受光部１２経由で電子番組ガイドの取り込み設定あるいは、データ放送（文字放送等も含む）のデータ溜め込み設定を行う。あるいはデフォルト設定でＥＰＧを有効にする。
【００５１】
テレビ放送あるいは各ＡＶ入出力端子２９に接続されたＡＶ機器からのＡＶ信号を利用しない場合で、地上波放送からデータを抜き取る場合、この場合は、制御部２４より電源部２５がオフされ、ＢＳチューナ３０も通電されない。例えば、リモコンによりＩＲ受光部１２経由で電源がオフされた場合、サブ制御部４２がオフコードを判別し、制御部４４にオフ情報を流す。制御部４４が終了処理を行い、完了情報をサブ制御部４２に返すとサブ制御部４２は電源部４３に内在するリレーをオフすることで電源部４３は切断される。
【００５２】
一方、制御部２４も同様にサブ制御部２２からオフコードを受けるが、データ抜き取り設定がされており、制御部２４は電源部２６に対して内在するリレーあるいはスイッチをオフするように制御する。以上により、電源待機時では、地上波用チューナ２７からの抜き取りに必要な回路機能のみに通電されることになる。
【００５３】
「電源待機時（ＢＳ放送データ抜き取り時間待ち時）」状態とは、一体型パネルテレビ１０がＡＶ信号の表示・提示を行わない状態でかつ抜取部２８よりデータを取り込む場合である。この状態にするためには、あらかじめリモコン等を用いＩＲ受光部１２経由で電子番組ガイドの取り込み設定あるいは、データ放送（文字放送等も含む）のデータの溜め込み設定を行う。あるいはデフォルト設定でＥＰＧを有効にする。
【００５４】
テレビ放送あるいは各ＡＶ入出力端子２９に接続されたＡＶ機器からのＡＶ信号を利用しない場合でＢＳ放送からデータを抜き取る場合、例えば、リモコンによりＩＲ受光部１２経由で電源がオフされた場合、サブ制御部４２がオフコードを判別し、制御部４４にオフ情報を流す。制御部４４が終了処理を行い、完了情報をサブ制御部４２に返すとサブ制御部４２は電源部４３に内在するリレーをオフすることで電源部４３は、切断される。一方、制御部２４も同様にサブ制御部２２からオフコードを受けるが、データ抜き取り設定が、されており、制御部２４は電源部２６に対して内在するリレーあるいはスイッチをオフするように制御する。さらに制御部２４は、ＢＳチューナ３０に対し待機モードである情報を渡す。
【００５５】
ＢＳチューナ３０は、データ取り込みに必要な時間情報を制御部２４に返す。制御部２４は、その時間情報の管理をスタートさせると、電源部２５に内在するリレーあるいはスイッチをオフにし電源部２５を遮断する。以上により、電源待機時では、必要最小限の機能だけが通電されている。
【００５６】
「電源待機取り込み時（ＢＳ放送データ抜き取り時）」状態とは、電源待機取り込み時は、制御部２４は時間管理を行っており、ＢＳ放送からの抜き取り時間が来ると、制御部２４は電源部２５に内在するリレーあるいはスイッチをオンにし、電源部２５を立ち上げる。このことによりＢＳチューナ３０が立ち上がり、ＢＳ放送に重畳されるデータの抜き取りを行う。よって、この場合、ＢＳ放送からの抜き取りに必要な回路機能のみに通電されることになる。抜き取り時間が完了すると、ＢＳチューナ３０は、制御部２４にその内容を送信し、制御部２４は、電源部２５に内在するリレーあるいはスイッチをオフすることで先程の電源待機時の設定状態になる。
【００５７】
なお、図２では、ＡＶ入出力端子２９に電源部２４から供給するようにしているが、電源部２６からの通電としても良い。また説明の煩雑を避けるために地上波用チューナ２７および抜取部２８は制御部２４と共通の電源２４から供給する形態を図２で示した。
【００５８】
しかし、ＢＳチューナ３０からのＢＳ放送データ抜き取り時と同様に、地上波用チューナ２７および抜取部２８専用に制御部２４からの制御が可能な電源を設けた場合も既に開示したＢＳチューナ３０の抜き取り技術と同様であり本発明に含まれるのは言うまでもない。
【００５９】
（実施の形態４）
本実施の形態では（実施の形態２）と同様な設定とし、電源待機時（ＢＳ放送データ抜き取り時間待ち時）とおなじ状態でＢＳ放送の裏録時間を待ち、時間がくれば電源待機時（ＢＳ放送データ抜き取り時）と同様に通電し、かつＡＶＳＷ３１とＡＶ入出力端子２９が通電するように電源制御を行い、制御部２４からＢＳチューナ３０からのＡＶ信号がＡＶ入出力端子２９より出力されるように構成する。
【００６０】
【発明の効果】
以上に示したように本発明によれば、電源を別系統にした制御部と表示部を２体ものにした形態をとったパネル型ディスプレイでは困難であった効率的な電源制御を本願発明では効率的な制御部による電源制御構成を取ったため一体型としてのパネル型ディスプレイを実現すると言うきわめて優れた効果を得ることが出来る。
【００６１】
なお、本発明では、制御部をスタンバイ電源で動作するサブ制御部と通常電源で動作する制御部に分けたが、省エネモードを内在するような上記制御部をワンパッケージ化したようなマイクロコンピュータで構成する場合も同様の効果が得られ本発明に含まれるのはいうまでもない。
【図面の簡単な説明】
【図１】本発明における表示装置の基本構成を示す図
【図２】同表示装置の詳細な構成を示すブロック図
【図３】従来例における表示装置の基本構成を示す図
【符号の説明】
１０　一体型パネルテレビ
１１　ＳＷ部
１２　ＩＲ受光部
２０　チューナ部
２１　スタンバイ電源部
２２　サブ制御部
２３　電源部
２４　制御部
２５　電源部
２６　電源部
２７　地上波用チューナ
２８　抜取部
２９　ＡＶ入出力部
３０　ＢＳチューナ
３１　ＡＶＳＷ
３２　映像処理部
４０　パネル表示部
４１　スタンバイ電源部
４２　サブ制御部
４３　電源部
４４　制御部
４５　映像フォーマット変換部
４６　パネル部
４７　音声処理増幅部
４８　ドライバ部
５０　パネル制御部
【図１】
2004048151.tif 000003
【図２】
2004048151.tif 000004
【図３】
2004048151.tif 000005